(57)【要約】【課題】透明な二枚のパネル間に開閉自在なカーテン等の遮蔽部材を内装するにあたり、デザイン性や断熱性の向上を図り、結露を防止するとともに、構造の簡素化を図り、また、既存の窓等にも容易に取付けできるようにする。【解決手段】透明な樹脂シート等の裏面パネル３と表面パネル５の間に開閉自在なカーテンユニット４を内装するようにし、カーテンユニット４として、開閉方向に短冊状に分断される複数の軟質フォーム材８と複数の支持部材７を同一平面上に並設することにより形成し、カーテンユニット４の開閉操作に伴って、軟質フォーム材８が収縮または復元するようにする。【選択図】      図２
2004316267.tif 000002
【特許請求の範囲】
【請求項１】
透明な二枚のパネル間に開閉自在な遮蔽部材が内蔵され且つ窓枠等に着脱自在な遮蔽組付体であって、前記遮蔽部材は、開閉方向に対して短冊状に分断される複数の軟質フォーム材が同一平面上に並設されることにより形成され、また、この軟質フォーム材は、遮蔽部材の開閉操作に伴って収縮または復元可能にされることを特徴とする窓等の遮蔽組付体。
【請求項２】
前記遮蔽部材は、カーテンまたはロールスクリーンまたはブラインドであることを特徴とする請求項１に記載の窓等の遮蔽組付体。
【請求項３】
前記軟質フォームの幅方向の両側面部には、剛性のある支持部材が一体化されることを特徴とする請求項１又は請求項２に記載の窓等の遮蔽組付体。
【請求項４】
前記軟質フォーム材の幅方向の両側面部を支持する一対の支持部材は、両者間の軟質フォーム材を収縮または復元させることにより、両者間の間隔が調整自在にされることを特徴とする請求項１乃至請求項３のいずれか１項に記載の窓等の遮蔽組付体。
【請求項５】
前記二枚のパネルと遮蔽部材は、容易に分解、組立できるようにされ、また前記軟質フォーム材は、取換え可能にされることを特徴とする請求項１乃至請求項４のいずれか１項に記載の窓等の遮蔽組付体。
【請求項６】
前記軟質フォーム材には、消臭効果または芳香効果が得られる処置が施され、また、前記二枚のパネルのうち、少なくとも内側パネルには、任意数の透孔が設けられることを特徴とする請求項１乃至請求項５のいずれか１項に記載の窓等の遮蔽組付体。
【請求項７】
前記軟質フォーム材には、任意の箇所に任意数のくり抜き穴が設けられ、このくり抜き穴には、模様等を表わした同形の軟質フォーム片が嵌合自在にされることを特徴とする請求項１乃至請求項６のいずれか１項に記載の窓等の遮蔽組付体。
【発明の詳細な説明】
【０００１】
【発明の属する技術分野】
本発明は、透明な二枚のパネル間に開閉自在なカーテンやブラインド等の遮蔽部材を内蔵し、この遮蔽部材を軟質ポリウレタンフォーム等の軟質フォーム材から構成するようにした遮蔽組付体に関する。
【０００２】
【従来の技術】
従来、二重ガラスサッシ内に昇降自在なブラインドを内蔵するような技術（例えば、特許文献１参照。）とか、二重ガラス内にロールカーテンを内蔵するような技術（例えば、特許文献２参照。）が知られている。
【０００３】
【特許文献１】
実開平２−３２５９８号公報
【特許文献２】
実開昭６４−３１８９５号公報
【０００４】
【発明が解決しようとする課題】
ところが、上記のような技術は、いずれも二重ガラス内に単にブラインドやロールカーテンを組み込んだだけのものであり、ブラインドやカーテンが汚れにくくなるとか、外部の音や開閉音を遮蔽する遮音性が向上する等の効果があるものの、デザイン性の向上や、断熱性の向上や、結露の防止の面等で限度があり、また、構造も複雑化するととともに、既存の窓等に容易に取付けることが出来ないという問題があった。
【０００５】
そこで本発明は、二重パネル内にカーテン等の遮蔽部材を組み込むようにした遮蔽組付体において、デザイン性や断熱性の向上を図り、結露を防止するとともに、構造の簡素化を図り、また、既存の窓等にも容易に取付けることが出来るようにすることを目的とする。
【０００６】
【課題を解決するための手段】
上記目的を達成するため本発明は、透明な二枚のパネル間に開閉自在な遮蔽部材が内蔵され且つ窓枠等に着脱自在な遮蔽組付体において、前記遮蔽部材として、開閉方向に対して短冊状に分断される複数の軟質フォーム材を同一平面上に並設することにより形成し、また、遮蔽部材の開閉操作に伴って、軟質フォーム材が収縮または復元するようにした。
【０００７】
そして、透明な二枚のパネル間に遮蔽部材を内蔵することで、遮蔽部材がホコリを吸ったり、汚れたりしにくくなり、また、外部の音や開閉音が抑制されて静かになるとともに、軟質フォーム材を使用することにより、断熱性が向上し、結露しにくくなる。また、カーテンと違って、燃えた場合に火がまわりにくくなり、火事になりにくい。
また、短冊状に分断した軟質フォーム材の幅方向を開閉方向に一致させて同一平面上に並設し、例えば隣接する軟質フォーム材の間に、撓みにくいプラスチックシート等を介装することで、大きい一枚の平板状の軟質フォーム材を使用することに較べて、圧縮時等に変な形に変形したり、シワがよったりしにくくなり、見苦しくなるのを防止出来る。
ここで、遮蔽部材の開閉操作は手動で行うようにしても良く、自動で行うようにしても良い。
尚、軟質フォーム材の素材等は任意であり、例えば軟質ポリウレタンフォーム等が適用可能である。
尚、このような遮蔽組付体１を装着する窓枠等としては、オフィスビルやマンションや商店等の窓ガラスのみならず、天窓や電車、バスの車窓等に適用することが出来る。
【０００８】
また本発明では、前記遮蔽部材を、カーテンまたはロールスクリーンまたはブラインドとした。
そして、カーテンにおいては、軟質フォーム材を開閉方向に収縮または復元させるようにし、ロールスクリーンにおいては、ロール部に軟質フォーム材を巻き取ることにより、厚み方向に収縮または復元させるようにする。また、ブラインドにおいては、軟質フォーム材を開閉方向に収縮または復元させるとともに、それとは別個に、遮蔽部材が拡げられた状態で、隣接する軟質フォーム材の隙間間隔を別個に調整可能なようにする。
【０００９】
また本発明では、前記軟質フォーム材の幅方向の両側面部に、剛性のある支持部材を一体化するようにした。
このように、短冊状の軟質フォーム材の幅方向の両側面部に剛性のある支持部材を一体化するようにすれば、軟質フォーム材を収縮または復元させる際等に均一に荷重をかけることが出来るようになり、綺麗に開閉させることが出来、また、例えば支持部材の両端部をレール等に係合させれば、開閉操作を円滑に行うことができる。
【００１０】
また本発明では、前記軟質フォーム材の幅方向の両側面部を支持する一対の支持部材について、両者間の軟質フォーム材を収縮または復元させることにより、両者間の間隔が調整自在になるようにした。
このように、遮蔽部材の開閉操作時とは別に、軟質フォーム材の幅方向の両側面部を支持する一対の支持部材の間隔が調整可能になるようにすれば、隣接する軟質フォーム材間に隙間が形成されるようになり、ブラインド機能を持たせることが出来る。
【００１１】
また本発明では、前記二枚のパネルと遮蔽部材は、容易に分解、組立できるようにし、また軟質フォーム材を、取換え可能にした。
そして、二枚のパネルから遮蔽部材を取出し、必要に応じて軟質フォーム材だけを取出すようにすれば、軟質フォーム材が汚れた時などの洗濯や掃除が容易になるとともに、新たなデザインの軟質フォーム材に取り換えることにより、デザインの多様化を図ることが出来る。
尚、軟質フォーム材の幅方向の両側面部に支持部材を一体化しているような場合、軟質フォーム材と支持部材を接着等を使用しないで、嵌合構造等によって組み付けると、容易に分解、組立が可能となる。
【００１２】
また本発明では、前記軟質フォーム材に、消臭効果または芳香効果が得られる処置を施すようにし、また、二枚のパネルのうち、少なくとも内側パネルには、任意数の透孔を設けるようにした。
ここで、消臭効果または芳香効果が得られる処置としては、液体状の消臭剤や芳香剤をスプレーで吹き付けるようにしても良く、また、軟質フォーム材の内部に顆粒状等の消臭剤や芳香剤を埋め込むようにしても良い。
こうすることで、遮蔽部材の開閉に伴って軟質フォーム材が収縮または復元する際に、消臭効果が得られたり、または芳香が発せられるようになり、気分をリラックスさせたり、爽快な気分にさせたりすることが出来る。
また、内側パネルに透孔を設けることにより、室内のホコリや塵等が静電気の作用により軟質フォーム材に吸着されるようになり、室内浄化にも寄与する。
【００１３】
また本発明では、前記軟質フォーム材の任意の箇所に任意数のくり抜き穴を設けるようにし、このくり抜き穴に、模様等を表わした同形の軟質フォーム片を嵌合自在にした。
そして、模様等を表わした軟質フォーム片を自由に取り換え出来るようにすることで、一層デザインを多様化を図ることが出来る。
【００１４】
【発明の実施の形態】
本発明の実施の形態について添付した図面に基づき説明する。
ここで図１は本発明に係る遮蔽組付体の構成例図、図２は遮蔽部材をカーテンとする場合の一例を説明する分解斜視図、図３は図２の遮蔽組付体の開閉手段の他の構成例図、図４は支持部材と軟質フォーム材の組み付け構造の一例を示す説明図、図５はパネル面の透孔を示す部分拡大図、図６は遮蔽部材をブラインドにする場合の一例を示す分解斜視図、図７は同ブラインドの開閉手段等の一例を示す説明図、図８は軟質フォーム材のくり抜き穴に模様等を表した軟質フォーム片を嵌合させる場合の説明図である。
【００１５】
本発明に係る遮蔽組付体は、透明な二枚のパネル内に開閉自在なカーテンやブラインドやロールスクリーン等の遮蔽部材を内装して、遮蔽部材がホコリを吸ったり、汚れたりするのを防止し、外部の音や開閉音を遮断するとともに、断熱性の向上や、結露を防止出来るようにされ、更に、構造の簡素化を図って、既存の窓枠等にも容易に取付け出来るようにされている。
【００１６】
ここで図１は、本発明に係る遮蔽組付体１として、両横開きタイプのカーテンを内装する場合（図１（ａ））と、ブラインドを内装する場合（図１（ｂ））を代表例にとって示す全体構成例図であるが、まず、図２乃至図５に基づいて片開き式カーテンを内装する場合の具体的構成の一例を説明し、その後、図６、図７に基づいてブラインドを内装する場合の具体的構成の一例を説明する。
【００１７】
まず、片開き式カーテンの構成例であるが、図２に示すように、遮蔽組付体１は、枠体２の裏面側内部に取付けられる透明樹脂等の裏面パネル３と、枠体２内に内装される遮蔽部材としてのカーテンユニット４と、枠体２の表面側内部に嵌め込み可能な透明樹脂等の表面パネル５を備えており、枠体２の裏面側の四隅コーナ部には、既存の窓等に接着剤または粘着剤等で貼り付けまたは吸盤等で固定するための取付部が設けられている。
【００１８】
カーテンユニット４は、枠体２の内側上面と内側下面に嵌め込まれる硬質樹脂等の一対のレール６と、このレール６にスライド自在に嵌合する硬質樹脂等の複数の支持部材７を備えており、両側端部の支持部材７ａ、７ｂを除いて中間部の支持部材７はある程度の剛性を確保した上で可能な限り厚みが薄くされ、また、各支持部材７間には、軟質ウレタンフォーム等の軟質フォーム材８が組み込まれている。
そして、個々の軟質フォーム材８は、開閉方向に対して短冊状に分断され且つ幅方向の両側面部に支持部材７が一体化された形態とされている。
尚、軟質フォーム材８の厚みが薄いような場合は、遮光性や強度の補強等のため、軟質フォーム材８の片面側に布を貼り合わせて一体化することもある。
また、レール６の内側面には、支持部材７を任意の位置で固定するための不図示の波型カット面が設けられている。
【００１９】
また、一方側端面の支持部材７ａには、前方に向けて突出する複数の突起９、１０が設けられており、これに対応する表面パネル５には、突起９、１０を入り込ませることの出来るスリット孔１１、１２が横方向に延設されている。そして、中央寄りの二ヶ所のスリット孔１１を通された突起９には、把手１３が着脱自在にされている。
因みに、この把手１３は、表面パネル５に対して起伏自在にしておき、平素は倒した状態にして表面パネル５から外部に突出しないようにしておき、必要時には起こして表面パネル５から外部に突出させるようにしても良い。
【００２０】
また、支持部材７（７ａ、７ｂ）と軟質フォーム材８の組み付けは、図４に示すように、支持部材７（７ａ、７ｂ）から横方向に向けてリブ１４を張出して成形しておき、軟質フォーム材８に設けたリブ嵌合孔１５に嵌合させることで接着剤等を使用しないで組み付けている。このため、軟質フォーム材８が所定の位置に位置決めされて位置ずれや変形等を起こしにくくなり、また、支持部材７から容易に取り外して交換や洗濯等を簡易に行うことが出来る。
【００２１】
ところで、軟質フォーム材８には、消臭液や芳香液をスプレーするか、消臭剤や芳香剤を埋め込むような処置を施すとともに、図５に示すように、表面パネル５の任意の箇所に任意数の透孔１６を設けることにより、軟質フォーム材８が収縮または復元する際に消臭成分や芳香成分が表面パネル５外に漂い出すようにしている。
また、表面パネル５には、透孔１６の他に、内部の軟質フォーム材８に向けて消臭液や芳香液を広範囲に噴射することの出来る開閉自在な扉を複数箇所に設けるようにしても良い。
尚、軟質フォーム材８にトルマリン粉末やイオンセラミックス粉末等を混入してマイナスイオンを発生させるようにしても良く、また、ＵＶカットスプレー等を施してＵＶカットの効果を得るようにしても良い。
【００２２】
以上のような遮蔽組付体１を組み付けた状態において、軟質フォーム材８が圧縮力を受けない普通の状態では、カーテンユニット４がパネル３、５面とほぼ同一面積になるようにしており、カーテンユニット４を収納するときは、把手１３を操作して閉じ方向に移動させる。すると、軟質フォーム材８は圧縮力を受けて幅方向に縮み、任意の位置で把手１３から手を離しても、レール６の波型カット面の作用によって、その位置を固定することが出来る。
この際、把手１３取付け用の突起９や、外側の突起１０が、表面パネル５のスリット孔１１、１２にガイドされるため、支持部材７ａが傾くような不具合がなく、スムーズに移動させることが出来る。
【００２３】
またカーテンユニット４を拡げる時は、把手１３を操作して開き方向に移動させれば、それまで縮んでいた軟質フォーム材８が復元し、幅方向に拡張する。そして、この開閉の際、軟質フォーム材８が収縮または復元することにより、消臭成分または芳香成分が室内に漂い出してリラックスした気分や落ち着いた気分にすることが出来る。
【００２４】
ところで、以上の実施例では、カーテンユニット４を操作するため、把手１３を利用するようにしているが、例えば把手１３が手の届かない高さにあるような場合、図３に示すような操作用コード１７を設け、これを把手１３と併設するようにしても良い。そしてこの実施例では、一方側の支持部材７ａの上端部と下端部に操作用コード１７を結び付け、この操作用コード１７の他端側を、表面パネル５の左右両端部の紐通し孔１８を通して下方に垂下させ、例えば図中左方の操作用コード１７を引張ることによりカーテンユニット４を展張し、図中右方の操作用コード１７を引張ることにより、カーテンユニット４を収納するようにしている。
勿論、把手１３と操作用コード１７を併設することなく、いずれか一方だけを設けるようにしてもよく、また、開閉操作を自動化し、リモコンスイッチ等で開閉するようにしても良い。
【００２５】
次ぎに、図６及び図７に基づき、遮蔽部材をブラインドにした構成例について説明する。
この構成例の遮蔽組付体１は、前記例と同様に、枠体２の裏面側内部に取付けられる透明樹脂等の裏面パネル３と、枠体２内に内装される遮蔽部材としてのブラインドユニット２０と、枠体２の表面側内部に嵌め込み可能な透明樹脂等の表面パネル５を備えており、枠体２の裏面側四隅コーナ部等に設けた取付部によって既存の窓枠等に簡易に固定出来るようにされている。
【００２６】
そして、ブラインドユニット２０は、枠体２の左右内面に嵌め込まれる硬質樹脂等の一対のレール６と、このレール６に対して上下にスライド自在な複数の連結体２１から構成され、この連結体２１は、軟質ウレタンフォーム等の軟質フォーム材８と、この軟質フォーム材８を挟むように上下面に一体化される一対の支持部材７から構成されている。
そして、支持部材７のうち最下端部の支持部材７ａには、前方に向けて突出する複数の突起９、１０が形成され、また、表面パネル５には、突起９、１０の位置に対応して上下方向に延出するスリット孔１１、１２が設けられ、中央寄りのスリット孔１１を通して突出する突起９には、把手１３が着脱自在にされている。
尚、この把手１３も前記例と同様に起伏自在にするようにしても良い。
【００２７】
そして、この把手１３を上下方向に操作することにより、軟質フォーム材８が収縮または復元してブラインドユニット２０の開閉がなされるが、この開閉以外に、連結体２１自体の隙間間隔を調整出来るようにされており、その機構について図７に基づき説明する。
【００２８】
前記連結体２１の上下一対の支持部材７のうち、下方の支持部材７ｙは、上方の支持部材７ｘに対して上下の位置が調整可能にされている。
すなわち、前記レール６には、二本のレール溝ｈ、ｉが形成されるとともに、上方の支持部材７ｘは、一方側のレール溝ｈにスライド自在に嵌合し、下方の支持部材７ｙは、他方側のレール溝ｉにスライド自在に嵌合している。
そして、下方の支持部材７ｙには、開閉用コード３５が接続されて開閉スイッチ部３６のスイッチに接続されており、開閉スイッチ部３６のスイッチを下方に操作すると、開閉用コード３５が上方に引張られて下方の支持部材７ｙが持ち上げられ、スイッチを任意の位置で固定することにより、軟質フォーム材８を縮ませて連結体２１の隙間を広がらせることが出来るようにしている。そして、開閉用コードの固定を外すと、軟質フォーム材８の復元力によって下方の支持部材７ｙが降下し、連結体２１の隙間が狭まるようにしている。
【００２９】
このような構造において、ブラインドユニット２０の開閉は、把手１３によって行い、また、ブラインドユニット２０を拡げた後、連結体２１の隙間間隔を調整する時は、開閉スイッチ部３６のスイッチ操作により行う。
尚、この場合も、最下端部の支持部材７ａの両側端部に不図示の操作用コードを連結し、この操作用コードを表面パネル５の中央上部から垂下させて、この操作用コードで開閉するようにしても良く、またはリモコン操作等により自動的に開閉できるようにしても良い。
また、軟質フォーム材８に芳香等の処置を施すことにより、ブラインドユニット２０を開閉させる際や、連結体２１の隙間を調整する時に、香り等を発生させることができる点については前記例と同様であるが、香り等を発生させる目的のため軟質フォーム材８を収縮・復元させるようにしても良く、その際、既存の開閉スイッチ部３６を利用しても良く、または別途、軟質フォーム材８を圧縮、復元させる専用のアロマボタン等を設けるようにすることも可能である。
【００３０】
尚、以上のようなカーテン式の遮蔽組付体１や、ブラインド式の遮蔽組付体１において、軟質フォーム材８を取り換えたり、洗濯する際は、表面パネル５を外すことにより、軟質フォーム材８を容易に取出すことが出来るため、例えば色違いの軟質フォーム材８に取り換える等によってデザイン性が向上するが、この際、図８に示すように、軟質フォーム材８の任意の箇所にくり抜き穴ｄを設け、このくり抜き穴ｄに、模様等を表わした同形の軟質フォーム片３７を嵌合させるようにしても良い。
この場合、色々な違うデザインの模様等を表わした軟質フォーム片３７を複数種類準備しておき、必要に応じて取り換えるようにすれば、一層デザインの多様化を図ることが出来る。
【００３１】
ところで、以上の実施例では、カーテン式の場合とブライド式の場合を代表例として説明したが、軟質フォーム材を厚み方向に圧縮させてロールに巻き取ることにより、ロール部の省スペース化を図るようなロールスクリーンに適用することも可能である。
この場合も、二枚の透明なパネル間に軟質フォーム材を内装するとともに、上部にロール部を設け、紐等によって開閉操作できるようにする。
【００３２】
尚、本発明は以上のような実施形態に限定されるものではない。本発明の特許請求の範囲に記載した事項と実質的に同一の構成を有し、同一の作用効果を奏するものは本発明の技術的範囲に属する。
例えば、軟質フォーム材の幅方向の両側面部の支持部材７の代わりに、薄手の撓みにくいプラスチックシートを使用するようにしても良く、また、二枚のパネル間に、軟質フォーム材を前後に二層設け、二層構造にするようにしても良い。更に、表面パネル５には、枠体２から取り外したり、枠体２に取り付けたりするための溝や切欠き等を任意の箇所に設けるようにしても良い。
【００３３】
【発明の効果】
以上のように本発明に係る遮蔽組付体は、透明な二枚のパネル間に内蔵される開閉自在な遮蔽部材として、開閉方向に対して短冊状に分断される複数の軟質フォーム材を同一平面上に並設することにより形成し、遮蔽部材の開閉操作に伴って、軟質フォーム材が収縮または復元するようにしたため、遮蔽部材がホコリを吸ったり、汚れたりしにくくなり、また、外部の音や開閉音等が抑制されて静かになるとともに、軟質フォーム材を使用することにより、断熱性が向上し、結露しにくくなる。
この際、遮蔽部材を、カーテンまたはロールスクリーンまたはブラインドとすれば好適であり、また、軟質フォーム材の幅方向の両側面部に、剛性のある支持部材を一体化すれば、軟質フォーム材を収縮または復元させる際等に均一に荷重をかけることが出来て綺麗に開閉させることが出来る。
【００３４】
そして、軟質フォーム材の幅方向の両側面部を支持する一対の支持部材について、両者間の軟質フォーム材を収縮または復元させることにより、両者間の間隔が調整自在になるようにすれば、ブラインド機能を持たせることが出来るようになり、また、二枚のパネルと遮蔽部材を、容易に分解、組立できるようにすれば、例えば軟質フォーム材を、取換えたり、洗濯したりするのに便利である。
また、軟質フォーム材に、消臭効果または芳香効果が得られる処置を施すようにすれば、軟質フォーム材が収縮または復元する際に、消臭効果が得られたり、または芳香が発せられるようになり、落ち付いた気分にしたり、気分をリラックスさせたりすることが出来る。
また、軟質フォーム材の任意の箇所に任意数のくり抜き穴を設けるようにし、このくり抜き穴に、模様等を表わした同形の軟質フォーム片を嵌合自在にすることで、一層デザインの多様化を図ることが出来る。
【図面の簡単な説明】
【図１】本発明に係る遮蔽組付体の構成例図
【図２】遮蔽部材をカーテンとする場合の一例を説明する分解斜視図
【図３】図２の遮蔽組付体の開閉手段の他の構成例図
【図４】支持部材と軟質フォーム材の組み付け構造の一例を示す説明図
【図５】パネル面の透孔を示す部分拡大図
【図６】遮蔽部材をブラインドにする場合の一例を示す分解斜視図
【図７】同ブラインドの開閉手段等の一例を示す説明図
【図８】軟質フォーム材のくり抜き穴に模様等を表した軟質フォーム片を嵌合させる場合の説明図
【符号の説明】
１…遮蔽組付体、３…裏面パネル、４…カーテンユニット、５…表面パネル、７…支持部材、８…軟質フォーム材、１６…透孔、２０…ブラインドユニット、２１…連結体、ｄ…くり抜き穴。
【図１】
2004316267.tif 000003
【図２】
2004316267.tif 000004
【図３】
2004316267.tif 000005
【図４】
2004316267.tif 000006
【図５】
2004316267.tif 000007
【図６】
2004316267.tif 000008
【図７】
2004316267.tif 000009
【図８】
2004316267.tif 000010